(57)【要約】【課題】  構造・使用方法がシンプルであるとともに、場を盛り上げる演出装置として高度な機能を有し、天井高の高低に拘わらず、様々な会場での使用が可能なイベント等の際に使用する演出装置の提供。【解決手段】  筒状の収納部１２と、通常時は収納部１２に納められ、収納部１２から飛び出すことによって膨張するメッセージ部材１４と、収納部１２に納められたメッセージ部材１４を、収納部１２から押し出して突出させる駆動手段とを具備し、駆動手段は、収納部１２の内部に配設された押圧板１６並びに弾性体（バネ）１８を備え、押圧板１６は収納部１２内を移動可能であり、弾性体１８の付勢力によってメッセージ部材１４を、その収納位置から飛出し位置へ押し出すように構成されている。【選択図】  図１
0003218636.tif 000002
【実用新案登録請求の範囲】
【請求項１】
筒状の収納部と、
通常時は前記収納部に納められ、該収納部から飛び出すことによって膨張するメッセージ部材と、
前記収納部に納められた前記メッセージ部材を、該収納部の内部にて移動させることにより、該収納部から押し出して突出させる駆動手段とを具備したことを特徴とするイベント等の際に使用する演出装置。
【請求項２】
前記駆動手段は、前記収納部の内部に配設された押圧板並びに弾性体を備え、該押圧板は該収納部内を移動可能に構成され、
前記弾性体の付勢力によって前記メッセージ部材を、その収納位置から飛出し位置へ押し出すことを特徴とする請求項１に記載のイベント等の際に使用する演出装置。
【請求項３】
前記収納部には、ＬＥＤ電球並びに電源を有する発光部が設けられているとともに、該発光部を点灯させるスイッチが設けられ、前記駆動手段が飛出し位置に移動したときに、該発光部を点灯させることを特徴とする請求項１又は２に記載のイベント等の際に使用する演出装置。
【考案の詳細な説明】
【技術分野】
【０００１】
本考案はイベント等の際に使用する演出装置に係り、特に結婚披露宴や各種の宴会などの際に、場を盛り上げたりするのに用いられる演出装置に関する。
【背景技術】
【０００２】
結婚披露宴などのパーティーは、新郎・新婦や出席者にとって記念となるイベントであることから、出席者を楽しませるとともに祝意を示す場として、大切な意義を有している。このため、従来の結婚披露宴などをはじめとする各種の宴会、コンサート会場などではクラッカーやくす玉、ペンライト等、場を盛り上げるために種々の装置が用いられている。
【０００３】
従来、このようなイベントの際に使用される装置として、特開２０１１−１２０８８９号公報記載の飛翔体発射装置に関する発明が存在する。同公報記載の発明は、多数の飛翔体が積み重ねて収容されている収容部と、当該飛翔体を発射口へ送りだす駆動部とを有し、発射時に飛翔体に対して空気抵抗を作用させることにより飛翔体の飛翔時間を長くすることが可能となる等の点が、メリットとして挙げられている。また、ベルトコンベアを駆動部として用いることにより、飛翔体の発射に要する準備作業を容易・且つ迅速に行うことが可能であるとされている。
【先行技術文献】
【特許文献】
【０００４】
【特許文献１】特開２０１１−１２０８８９号公報
【考案の開示】
【考案が解決しようとする課題】
【０００５】
しかしながら、前述した特許文献１記載の装置の場合、飛翔体を空中へ飛び出させることによる意外性により場を盛り上げるように構成されていることから、ある程度の天井高さが必要となるなど、安全面から使用できる会場・環境が限られるという課題があった。
また、飛翔体を空中へ発射するための駆動部としてベルトコンベアを用いていることから、構造が複雑で結果的に装置自体のコスト高、使用方法が複雑化するという課題があった。
【０００６】
本考案は、このような事情に鑑みてなされたもので、構造・使用方法がシンプルであるとともに、場を盛り上げる演出装置として高度な機能を有し、天井高の高低に拘わらず、様々な会場での使用が可能なイベント等の際に使用する演出装置を提供することを目的としている。
【課題を解決するための手段】
【０００７】
請求項１記載の考案は、筒状の収納部と、通常時は前記収納部に納められ、該収納部から飛び出すことによって膨張するメッセージ部材と、前記収納部に納められた前記メッセージ部材を、該収納部の内部にて移動させることにより、該収納部から押し出して突出させる駆動手段とを具備したことを特徴としている。
【０００８】
請求項２記載の考案は、上記１項において、前記駆動手段は、前記収納部の内部に配設された押圧板並びに弾性体を備え、該押圧板は該収納部内を移動可能に構成され、
前記弾性体の付勢力によって前記メッセージ部材を、その収納位置から飛出し位置へ押し出すことを特徴としている。
【０００９】
請求項３記載の考案は、上記１項又は２項において、前記収納部には、ＬＥＤ電球並びに電源を有する発光部が設けられているとともに、該発光部を点灯させるスイッチが設けられ、前記駆動手段が飛出し位置に移動したときに、該発光部を点灯させることを特徴としている。
【考案の効果】
【００１０】
本考案によれば、部品点数が少なくて済み、構造がシンプルで且つ使用方法も分かりやすいことから、様々な会場やイベントにて、安全に且つ幅広い用途で利用することができる。
【図面の簡単な説明】
【００１１】
【図１】本考案の一実施形態に係る演出装置の概略を示す分解斜視図である。
【図２】同じく、本考案の一実施形態に係る演出装置の組立状態を示した斜視図である。
【図３】同じく、本考案の一実施形態に係る演出装置の主要構成部材である収納部内における押圧板の位置関係を示した図である。
【図４】同じく、本考案の一実施形態に係る演出装置について、使用時の状況を示した図である。
【図５】同じく、本考案の他の実施形態に係る演出装置の構成を示す分解斜視図である。
【図６】同じく、本考案の他の実施形態に係る演出装置の組立状態を示した斜視図である。
【図７】同じく、本考案の他の実施形態に係る内部構造を透視した状態で示す斜視図である。
【考案を実施するための最良の形態】
【００１２】
以下、本考案に係るイベント等の際に使用する演出装置の好適な実施形態について、添付図面を参照しながら詳細に説明する。
【００１３】
図１は、本考案に係る演出装置の一実施形態の概略を示す分解斜視図、図２は組立状態を示した斜視図である。
【００１４】
これらの図に示されるように、本実施形態の演出装置１０は、筒状の収納部１２、メッセージ部材１４、押圧板（駆動手段）１６、バネ１８等を備えて構成されている。
収納部１２は円筒形状に形成され、その内部中間部付近に支持板２０が取り付けられているとともに、その底部は底蓋２１によって閉塞されている。また、収納部１２の側面にはガイド溝２２Ａ，２２Ｂが縦方向に沿って穿設されている。収納部１２における底蓋２１と支持板２０との間に形成される空間２３は小物入れなどとして活用することが可能である。
【００１５】
収納部１２の内部には、押圧板１６が内部に配設され、押圧板１６の外周部の対向する位置に設けられた２つのガイド片１６Ａ，１６Ｂが、ガイド孔２２Ａ，２２Ｂと嵌合し、これらのガイド孔２２Ａ，２２Ｂに案内されることによって、収納部１２内にて押圧板１６は上下動するようになっている。各ガイド孔２２Ａ，２２Ｂは縦長の略Ｌ字状に形成され、その最下端にて、押圧板１６を周方向へ僅かに回転させることで、ガイド片１６Ａ，１６Ｂが係止部２４へ移動し、押圧板１６の上下動をロックすることが可能になっている。
【００１６】
メッセージ部材１４は、通常時、収納部１２の内部に納められているとともに、収納部１２から飛び出すことによって膨張する素材、例えば、発砲ウレタン、スポンジなどの体積膨張率の大きな素材によって形成されている。メッセージ部材１４は収縮時に、収納部１２の内部に縮めて収納可能であるとともに、収納部１２から突出させたときに例えばハート形などの所定形状に膨張するように形成されている。その表面にはイベントに合わせたメッセージなどを添え書きすることなどが可能であり、イベント時にメッセージ部材１４が突出するようにして飛び出すことにより、場を盛り上げる役割を果たすようになっている。
【００１７】
収納部１２に納められたメッセージ部材１４は、その下部に取付部１４Ａが突設され、この取付部１４Ａを押圧板１６の中心部に穿設された係止孔１６Ｃに係合させることよって、メッセージ部材１４を着脱自在に押圧板１６に取り付けることができる。
また、収納部１２内では、押圧板１６と支持板２０との間に弾性体としてのバネ１８が配設されており、このバネ１８によって押圧板１６に対し、上方へ付勢力を作用させるようになっている。
【００１８】
図３は収納部１２内における押圧板１６の位置関係を示し、これらのうち図３（ａ）は立面図、図３（ｂ），（ｃ）は図３（ａ）のＸ−Ｘ線に沿った矢視断面図、図４は本実施形態の演出装置における使用時の状況を示した図である。
【００１９】
図３（ａ）、（ｂ）及び図４（ａ）に示されるように、収納部１２内にメッセージ部材１４が収納されているときは、押圧板１６のガイド片１６Ａ，１６Ｂはガイド孔２２Ａ，２２Ｂの水平な係止部２４に位置することによってバネ１８の付勢力に抗してロック状態が保たれている。
【００２０】
一方、図３（ｃ）、図４（ｂ）に示されるように、押圧板１６をわずかに回転させると、ガイド片１６Ａ，１６Ｂが係止部２４から移動してフリー状態となり、押圧板１６はバネ１８の付勢力によって上方へ移動する。すると、押圧板１６によりメッセージ部材１４が上方へ押し出され、これによりメッセージ部材１４は収納部１２の開口部から上方へ膨張しながら飛び出していく。さらに、図４（ｃ）に示されるように、開口部から完全に飛び出したメッセージ部材１４は大きく膨張し、ハートの形となってイベント等の際、場を盛り上げる機能を発揮する。なお、メッセージ部材１４は本実施形態ではハートの形状としているが、これに限られるものではなく、メッセージ性を有する他の形状としても良い。
【００２１】
図５は本考案に係る演出装置の他の実施形態の構成を示す分解斜視図、図６は斜視図、図７は内部構造を透視した状態で示す斜視図である。ここでは前述した図１〜４の実施形態と同一の部材には同一の符号を付し、その説明を省略する。
【００２２】
これらの図に示されるように、当該実施形態に係る演出装置３０では、収納部１２の上部に、ＬＥＤ電球等から成る発光部３２と、リング状の上枠３４とを備えている点が相違する。ＬＥＤ電球３２Ａは、上枠部３４の上面に所定の間隔にて取り付けられており、収納部１２の内周側に刻まれた雌ネジ部１２Ａに対し、上枠３４の雄ネジ部３４Ａが螺合することによって収納部１２と一体化されている。また、発光部３２の電源としてボタン電池が収納される電池室３２Ｂが上枠部３４の内側に設けられているとともに、ＬＥＤ電球３２Ａに電流を通電させるスイッチとして、一対の接点３２Ｃが取り付けられている。
【００２３】
押圧板１６は収納部１２の最上端に位置したときに、押圧板１６に立ち上るようにして設けられた金属片からなる導通部１６Ｄが接点３２Ｃに対して接触することにより、通電状態となってＬＥＤ電球３２Ａが点灯する。
一方、押圧板１６を下方へ押し下げると、導通部１６Ｄが接点３２Ｃから離れて通電が遮断され、ＬＥＤ電球３２Ａは消灯する。
【００２４】
このように、図５〜７での実施形態によれば、メッセージ部材１４が飛び出すことに加え、ＬＥＤ電球３２Ａが点灯することから、イベントにおける演出効果を更に向上させることができる。なお、本実施形態ではＬＥＤ電球３２Ａをオン・オフさせるスイッチとして、接点３２Ｃ及び導通部１６Ｄを利用しているが、これに限らず、リミットスイッチなどを利用することも可能である。
【００２５】
さらに、使用時にメッセージ部材１４は空中に飛翔しないことから、天井高の低い会場や、面積に制約されることなく、様々な会場や居室で安全に使用することが可能である。また、メッセージ部材１４は一度使用した場合でも、収縮状態として再び収納部１２内に納めて何度でも使用することができる。或いは、メッセージ部材１４のみを別の形状のものへ交換して使用することも可能であり、多用途性を有している。
【００２６】
以上説明した実施形態ではメッセージ部材１４は、収納部１２から飛び出したときにハート状に膨張するように形成しているが、これに限らず、使用されるイベントに合わせて、様々な形状にすることが可能である。例えば動物の形状としたり、季節に合わせたものとするなど種々の形状とすることができる。
また、メッセージ部材を飛び出させる駆動手段として弾性体（バネ）を用いているが、これに限らず空気圧を利用したり、磁石、電気式とするなど、その手段は問わない。
【００２７】
加えて、図５〜図７にて示した実施形態では収納部１２に対して上枠３４を取り付ける場合に、収納部１２の内周側に刻まれた雌ネジ部１２Ａと、上枠３４の雄ネジ部３４Ａとを螺合させることによって両者を一体化しているが、これに限らず、両者に嵌合爪を設けておけば、上枠３４を収納部１２に取り付ける際にワンタッチで着脱動作を行うことが可能となり、迅速性が向上する。
【産業上の利用可能性】
【００２８】
本考案は、結婚披露宴や各種のパーティーやイベントにて、場を盛り上げる道具として利用することが可能である。
【符号の説明】
【００２９】
１０                  演出装置
１２                  収納部
１２Ａ                雌ネジ部
１４                  メッセージ部材
１４Ａ                取付部
１６                  押圧板
１６Ａ  １６Ｂ        ガイド片
１６Ｃ                係止孔
１８                  バネ
２０                  支持板
２１                  底蓋
２２Ａ  ２２Ｂ        ガイド孔
２４                  係止部
３０                  演出装置
３２                  発光部
３２Ａ                ＬＥＤ電球
３２Ｂ                電池室
３２Ｃ                接点
３４                  上枠
３４Ａ                雄ネジ部
【図１】
0003218636.tif 000003
【図２】
0003218636.tif 000004
【図３】
0003218636.tif 000005
【図４】
0003218636.tif 000006
【図５】
0003218636.tif 000007
【図６】
0003218636.tif 000008
【図７】
0003218636.tif 000009